(57)【要約】【課題】掻こうとする行為を防止して患部の悪化を防ぐことができる掻きむしり防止衣服を提供する。【解決手段】掻きむしり防止衣服１は、長袖部３と、胴周り開口部４Ａが形成された胴体部４とを有すると共に首周り開口部６が形成された上衣２を備えている。掻きむしり防止衣服１は、胴周り開口部４Ａが形成された下衣５を備えている。左右の長袖部３の先端部は盲端になっていると共に左右の長袖部３の先端部にはファスナー７が取り付けられている。下衣５の股上領域にも左右２箇所にファスナー７が取り付けられ、左右の長袖部３の先端部と着脱可能に接合できるようになっている。胴体部４に面した長袖部３の面と、長袖部３に面した胴体部４の面には、それぞれファスナー７が取り付けられており、胴体部４の胴周り開口部４Ａの周縁と下衣５の股上領域の幅方向には、ファスナー７が取り付けられている。【選択図】図１
2007308828.tif 000002
【特許請求の範囲】
【請求項１】
長袖部と、胴周り開口部が形成された胴体部とを有すると共に首周り開口部が形成された上衣を備えた掻きむしり防止衣服において、
前記長袖部の先端部は盲端であると共に同先端部は下衣に接合される
ことを特徴とする掻きむしり防止衣服。
【請求項２】
前記胴体部に面した前記長袖部の面と、前記長袖部に面した前記胴体部の面とが着脱可能に接合される
ことを特徴とする請求項１に記載の掻きむしり防止衣服。
【請求項３】
前記胴体部が、前記下衣に着脱可能に接合される
ことを特徴とする請求項１または請求項２に記載の掻きむしり防止衣服。
【請求項４】
前記首周り開口部が着用者の首周りと略同じ大きさであると共に、前記首周り開口部の周縁が難伸縮性の素材で構成されている
ことを特徴とする請求項１または請求項２に記載の掻きむしり防止衣服。
【請求項５】
胴周り開口部が形成された下衣を備えた掻きむしり防止衣服において、
先端部が盲端である長袖部と、胴周り開口部が形成された胴体部とを有すると共に首周り開口部が形成された上衣の前記先端部が前記下衣に接合される
ことを特徴とする掻きむしり防止衣服。
【請求項６】
前記胴体部に面した前記長袖部の面と、前記長袖部に面した前記胴体部の面とが着脱可能に接合される
ことを特徴とする請求項５に記載の掻きむしり防止衣服。
【請求項７】
前記胴体部が、前記下衣に着脱可能に接合される
ことを特徴とする請求項５または請求項６に記載の掻きむしり防止衣服。
【請求項８】
前記首周り開口部が着用者の首周りと略同じ大きさであると共に、前記首周り開口部の周縁が難伸縮性の素材で構成されている
ことを特徴とする請求項５または請求項６に記載の掻きむしり防止衣服。
【請求項９】
長袖部と、胴周り開口部が形成された胴体部とを有すると共に首周り開口部が形成された上衣と、胴周り開口部が形成された下衣とを備えた掻きむしり防止衣服において、
前記長袖部の先端部が盲端になっていると共に同先端部が前記下衣に接合され、
前記胴体部に面した前記長袖部の面と、前記長袖部に面した前記胴体部の面とが着脱可能に接合され、
前記胴体部と前記下衣とが着脱可能に接合され、
前記首周り開口部が着用者の首周りと略同じ大きさであると共に、前記首周り開口部の周縁が難伸縮性の素材で構成されている
ことを特徴とする掻きむしり防止衣服。
【発明の詳細な説明】
【技術分野】
【０００１】
本発明は掻きむしり防止衣服に関する。詳しくは、皮膚の掻きむしりを防止する掻きむしり防止衣服に係るものである。
【背景技術】
【０００２】
アトピー性皮膚炎は、成人と共に乳幼児にも患う者が多い皮膚疾患であり、治療としては、湿疹の程度に応じてステロイド軟膏、皮膚保護剤、保湿剤等を塗布し、抗ヒスタミン剤、抗アレルギー剤を内服することが行われている。
【０００３】
しかし、激しいかゆみのため患者が患部を自分の手で掻きむしってしまうことにより、ステロイド等の効果で回復し始めていた患部に裂傷が生じ、出血等を伴うと共に、爪や指の細菌の侵入や、アレルギーの原因抗原の侵入などを容易にし、そのことにより、引っ掻かれた患部の炎症が更に悪化してかゆみが更に増し、また掻いてしまうという悪循環を招き、回復に向かうことができないという事態が生じてしまう。
【０００４】
そこで、かゆみを覚える患者が自分で患部を掻くことを防止するための様々な技術が提案されている（例えば、特許文献１参照。）。図３は従来のサポーターを説明する概略図であるが、この図において、両肩と両腕を覆うサポーター本体１０２と、胸部に使用された平ゴム１０３と、サポーター本体の手首部分に取り付けられた凹型スナップボタン１０４と、凸型スナップボタンを有するミトン型の手袋１０５とで構成されたサポーター１０１が記載されている。これにより、ハウスダスト等からの刺激を直接皮膚が受けないよう保護でき、睡眠時に身体がかゆくて無意識に掻いてしまう場合でも爪で強く掻く刺激から皮膚を守ることができる。
【０００５】
【特許文献１】実用新案登録第３０２８６３５号明細書
【発明の開示】
【発明が解決しようとする課題】
【０００６】
しかしながら、従来のサポーターでは、掻こうとする行為自体は妨げられないので、患者はかゆみを我慢できずに手袋をしたままかゆい部分を必死に掻きむしろうとするが、掻きむしりによる快感が得られず患者は激しく患部を刺激し、かえって患部を悪化させる事態を引き起こしている。
【０００７】
本発明は、以上の点に鑑みて創案されたものであり、掻こうとする行為を防止して患部の悪化を防ぐことができる掻きむしり防止衣服を提供することを目的とする。
【課題を解決するための手段】
【０００８】
上記の目的を達成するために、本発明の掻きむしり防止衣服は、長袖部と、胴周り開口部が形成された胴体部とを有すると共に首周り開口部が形成された上衣を備えた掻きむしり防止衣服において、前記長袖部の先端部は盲端であると共に同先端部は下衣に接合されることを特徴とする。
【０００９】
ここで、長袖部の先端部が盲端であるので下衣に接合しやすい。また、長袖部の盲端になった先端部が下衣に接合されるので、着用者の手の動作を抑制できる。
【００１０】
また、本発明の掻きむしり防止衣服において、胴体部に面した長袖部の面と、長袖部に面した胴体部の面とが着脱可能に接合される場合、腕の動作を抑制できる。
【００１１】
また、本発明の掻きむしり防止衣服において、胴体部が下衣に着脱可能に接合される場合、着用者が上衣をずらそうとしても下衣の股下部が着用者の股に当たってそれ以上ずれなくなり、上衣をずらすことによる脱衣を防止できる。
【００１２】
また、本発明の掻きむしり防止衣服において、首周り開口部が着用者の首周りと略同じ大きさであると共に、首周り開口部の周縁が難伸縮性の素材で構成されている場合、着用者の肩が首周り開口部から出にくくなり、着用者が肩を脱ぐことを防止できる。
【００１３】
また、上記の目的を達成するために、本発明の掻きむしり防止衣服は、胴周り開口部が形成された下衣を備えた掻きむしり防止衣服において、先端部が盲端である長袖部と、胴周り開口部が形成された胴体部とを有すると共に首周り開口部が形成された上衣の前記先端部が前記下衣に接合されることを特徴とする。
【００１４】
ここで、長袖部の盲端になった先端部が下衣に接合されるので、着用者の手の動作を抑制できる。
【００１５】
また、上記の目的を達成するために、本発明の掻きむしり防止衣服は、長袖部と、胴周り開口部が形成された胴体部とを有すると共に首周り開口部が形成された上衣と、胴周り開口部が形成された下衣とを備えた掻きむしり防止衣服において、前記長袖部の先端部が盲端になっていると共に同先端部が前記下衣に接合され、前記胴体部に面した前記長袖部の面と、前記長袖部に面した前記胴体部の面とが着脱可能に接合され、前記胴体部と前記下衣とが着脱可能に接合され、前記首周り開口部が着用者の首周りと略同じ大きさであると共に、前記首周り開口部の周縁が難伸縮性の素材で構成されていることを特徴とする。
【００１６】
ここで、長袖部の先端部が盲端になっているので下衣に接合しやすい。また、長袖部の盲端になった先端部が下衣に接合されるので、着用者の手の動作を抑制できる。また、胴体部に面した長袖部の面と、長袖部に面した胴体部の面とが着脱可能に接合されるので、腕の動作を抑制できる。また、胴体部と下衣とが着脱可能に接合されるので、着用者が上衣をずらそうとしても下衣の股下部が着用者の股に当たってそれ以上ずれなくなり、上衣をずらすことによる脱衣を防止できる。また、首周り開口部が着用者の首周りと略同じ大きさであると共に、首周り開口部の周縁が難伸縮性の素材で構成されているので、着用者の肩が首周り開口部から出にくくなり、着用者が肩を脱ぐことを防止できる。
【発明の効果】
【００１７】
本発明に係る掻きむしり防止衣服は、掻こうとする行為を防止して患部の悪化を防ぐことができる。
【発明を実施するための最良の形態】
【００１８】
以下、本発明の実施の形態について図面を参照しながら説明し、本発明の理解に供する。
図１は、本発明を適用した掻きむしり防止衣服の上衣と下衣の一例を示す概略図である。図１において、本発明の掻きむしり防止衣服１は、長袖部３と、胴周り開口部４Ａが形成された胴体部４とを有すると共に首周り開口部６が形成された上衣２を備えており、また、本発明の掻きむしり防止衣服１は、胴周り開口部４Ａが形成された下衣５を備えている。
【００１９】
また、左右の長袖部３の先端部は盲端（閉じている端部）になっていると共に左右の長袖部３の先端部にはファスナー７が取り付けられている。また、下衣５の前身頃の股上領域にも左右２箇所にファスナー７が取り付けられ、左右の長袖部３の先端部と着脱可能に接合できるようになっている。
【００２０】
また、胴体部４に面した長袖部３の面と、長袖部３に面した胴体部４の面には、それぞれファスナー７が取り付けられており、胴体部４に面した長袖部３の面と、長袖部３に面した胴体部４の面とが着脱可能に接合できるようになっている。
【００２１】
また、胴体部４の胴周り開口部４Ａの周縁と下衣５の股上領域の幅方向には、それぞれファスナー７が取り付けられており、胴体部と下衣とは着脱可能に接合できるようになっている。
【００２２】
また、首周り開口部６が着用者の首周りと略同じ大きさであると共に、首周り開口部６の周縁が難伸縮性の素材やボタン８で構成されている。
【００２３】
また、上衣２及び下衣５に使われる素材としては、炎症した患部に優しい素材が好ましく、例えば抗菌処理した柔軟な天然繊維で製造された布地が挙げられる。
【００２４】
ここで、長袖部の先端部が盲端になっていると共に先端部が下衣に接合されるのであれば、必ずしも胴体部に面した長袖部の面と、長袖部に面した胴体部の面にそれぞれファスナーを取り付けなくてもよく、また、必ずしも胴体部の胴周り開口部の周縁と下衣の股上領域の幅方向にそれぞれファスナーを取り付けなくてもよく、更に、必ずしも首周り開口部が着用者の首周りと略同じ大きさでなくてもよく、また、首周り開口部の周縁が難伸縮性の素材やボタンで構成されていなくてもよい。
【００２５】
図２は、本発明を適用した掻きむしり防止衣服の上衣と下衣を接合した状態の一例を示す概略図である。図２において、本発明の掻きむしり防止衣服１は、胴体部４の胴周り開口部４Ａの周縁と下衣５の股上領域の幅方向にそれぞれ取り付けられたファスナー７によって、胴体部４の胴周り開口部４Ａの周縁と下衣５は着脱可能に接合され、よって上衣２と下衣５が着脱可能に接合されている。
【００２６】
このように、本発明を適用した掻きむしり防止衣服は、長袖部の先端部が盲端になっているので下衣に接合しやすく、また、長袖部の盲端になった先端部が下衣に接合されているので、着用者の手の動作を抑制でき、掻こうとする行為を防止して患部の悪化を防ぐことができる。
【００２７】
また、本発明を適用した掻きむしり防止衣服は、胴体部に面した長袖部の面と、長袖部に面した胴体部の面とが着脱可能に接合されるので、手に加えて腕の動作までも抑制でき、掻こうとする行為を防止して患部の悪化を防ぐことができる。
【００２８】
更に、本発明を適用した掻きむしり防止衣服は、胴体部の胴周り開口部の周縁と下衣とが着脱可能に接合されるので、着用者が上衣をずらそうとしても下衣の股下部が股に当たってそれ以上ずれなくなり、上衣をずらすことによる脱衣を防止でき、よって患部を掻こうとする行為も防止できる。
【００２９】
また、本発明を適用した掻きむしり防止衣服は、首周り開口部が着用者の首周りと略同じ大きさであると共に、首周り開口部の周縁が難伸縮性の素材で構成されているので、着用者の肩が首周り開口部から出にくくなり、着用者が肩を脱ぐことを防止でき、よって患部を掻こうとする行為も防止できる。
【図面の簡単な説明】
【００３０】
【図１】本発明を適用した掻きむしり防止衣服の上衣と下衣の一例を示す概略図である。
【図２】本発明を適用した掻きむしり防止衣服の上衣と下衣を接合した状態の一例を示す概略図である。
【図３】従来のサポーターを説明する概略図である。
【符号の説明】
【００３１】
１    掻きむしり防止衣服
２    上衣
３    長袖部
４    胴体部
４Ａ  胴周り開口部
５    下衣
６    首周り開口部
７    ファスナー
８    ボタン
【図１】
2007308828.tif 000003
【図２】
2007308828.tif 000004
【図３】
2007308828.tif 000005